(57)【要約】      （修正有）【課題】湾曲が困難な物や大型物を安全、かつ、快適にランドセルと一体化することができるランドセル用の収納ケースおよび収納ケース付きのランドセルを提供する。【解決手段】ランドセル用の収納ケース１は、上部に口部２を形成すべく前面３と後面４を凹状に縫合してなる扁平な袋状の収容部５と、この収容部の後面４の上部に一体形成されている天蓋６とからなるケース本体７と、後面４の外側の上部中央に設けられているランドセルの副収納部に係合するための板状部材８とからなる。【選択図】図１
0003188466.tif 000002
【実用新案登録請求の範囲】
【請求項１】
ランドセルの収納部の前面に着脱自在に係合する連結部材が、ケース本体の背面に設けられているランドセル用の収納ケース。
【請求項２】
前記連結部材が板状部材の上部を前記ケース本体の背面に止着してなる請求項１記載のランドセル用の収納ケース。
【請求項３】
前記板状部材が張り性を有するシートである請求項２記載のランドセル用の収納ケース。
【請求項４】
前記ケース本体が上部に口部を有すると共にその口部を閉じる天蓋を背面の上部に有し、天蓋に近接する位置に前記板状部材を設けると共に板状部材の上部を覆う補助用部材の一側をこの板状部材を介して背面に縫合し、同他側を天蓋に縫合する請求項３記載のランドセル用の収納ケース。
【請求項５】
前記ケース本体が上部に口部を有し、その口部を開閉するスライドファスナーを設けている請求項３記載のランドセル用の収納ケース。
【請求項６】
前記板状部材が可撓性を有する請求項２記載のランドセル用の収納ケース。
【請求項７】
前記ケース本体が柔軟性を有する請求項１記載のランドセル用の収納ケース。
【請求項８】
前記板状部材がケース本体の背面に上下反転可能に止着されると共に、板状部材が提げ手用の孔を備えている請求項３または６記載のランドセル用収納ケース。
【請求項９】
前記板状部材が可撓性を有し、前記ケース本体の背面に前記板状部材をケース本体に収容するための収納口を設けている請求項２記載のランドセル用の収納ケース。
【請求項１０】
前記ケース本体に提げ手を設けている請求項１記載のランドセル用の収納ケース。
【請求項１１】
ランドセルの収納部の最前面に請求項１、２、３、４、５、６、７、８、９または１０記載の収納ケースが装着されている収納ケース付きのランドセル。
【考案の詳細な説明】
【技術分野】
【０００１】
本考案はいわゆるフラットファイルなどを収容してランドセルに装着するためのランドセル用の収納ケースおよび収納ケース付きのランドセルに関する。
【背景技術】
【０００２】
ランドセルの大きさは、使用対象者の年齢や体型などの観点から、制限せざるを得ないのが実情である。そのため、例えばＡ４サイズ用のいわゆるフラットファイルなどの折り畳み不可能、あるいは湾曲困難な大型物はランドセルの収納部に収容することができない。そのため、ランドセルの蓋の外側に大型物用の収容ケースを設置するように取り付けていた（特許文献１、特許文献２）。しかし、ランドセルの蓋の外側に設置するのは防犯上の問題、また、ランドセルの揺動よる安定感の欠如などの問題があった。さらに蓋の開閉が煩雑になるという問題もあった。
【先行技術文献】
【特許文献】
【０００３】
【特許文献１】意匠登録第１４３３６２８号
【特許文献２】意匠登録第１４３３６２９号
【考案の概要】
【考案が解決しようとする課題】
【０００４】
本考案は、湾曲が困難な物や大型物を安全、かつ、快適にランドセルと一体化することができるランドセル用の収納ケースおよび収納ケース付きのランドセルを提供することを課題にしている。
【課題を解決するための手段】
【０００５】
本考案のランドセル用の収納ケース（請求項１）は、ランドセルの収納部の前面に着脱自在に係合する連結部材が、ケース本体の背面に設けられていることを特徴としている。
【０００６】
前記連結部材は、板状部材の上部を前記ケース本体の背面に止着してなるのが好ましい（請求項２）。
【０００７】
前記板状部材は、張り性を有するシートであるのが好ましい（請求項３）。
【０００８】
前記ケース本体は、上部に口部を有すると共にその口部を閉じる天蓋を背面の上部に有し、天蓋に近接する位置に前記板状部材を設けると共に板状部材の上部を覆う補助用部材の一側をこの板状部材を介して背面に縫合し、同他側を天蓋に縫合するのが好ましい（請求項４）。
【０００９】
前記ケース本体は、上部に口部を有し、その口部を開閉するスライドファスナーを設けているのが好ましい（請求項５）。
【００１０】
前記板状部材は、可撓性を有するのがさらに好ましい（請求項６）。
【００１１】
前記ケース本体は、柔軟性を有するのが好ましい（請求項７）。
【００１２】
前記板状部材は、ケース本体の背面に上下反転可能に止着されると共に、板状部材が提
げ手用の孔を備えているのが好ましい（請求項８）。
【００１３】
前記板状部材は、可撓性を有し、前記ケース本体の背面に前記板状部材をケース本体に
収容するための収納口を設けているのが好ましい（請求項９）。
【００１４】
前記ケース本体は、提げ手を設けているのが好ましい（請求項１０）。
【００１５】
収納ケース付きランドセルは、収納部の最前面に請求項１、２、３、４、５、６、７、
８、９または１０記載の収納ケースが装着されているのが好ましい（請求項１１）。
【考案の効果】
【００１６】
本考案のランドセル用の収納ケース（請求項１）は、ケース本体をランドセルの副収納部の前面側、つまり閉蓋状態の当該蓋が湾曲しない部分に装着するのを可能にしている。したがって、収納ケースは湾曲可能な物の他、湾曲不可能なもの、また、湾曲困難な物を収納してランドセルの副収納部に一体化させることができる。また、副収納部と蓋との間は横方向が貫通しているので、ケース本体の幅が蓋の幅よりも幅広であってもランドセルに一体化させることができる。また、ランドセルの蓋は軽快に開閉操作することができる。また、収納ケースは蓋で覆われるので、副収納部からの脱抜が防止される。
【００１７】
前記連結部材が板状部材の上部を前記ケース本体の背面に止着してなる場合（請求項２）、板状部材の止着部より下方はランドセルの収納部に挿入させることが可能になっている。上記の収納部に収容された板状部材は横移動がこの収納部の側部によって阻止される。したがって、収納ケースは両端が閉蓋状態の蓋から突き出ていても、抜き取られるのが防止されている。
【００１８】
前記板状部材が張り性を有するシートである場合（請求項３）、前記板状部材は先部が収納部に挿入し易くなっている。
【００１９】
前記ケース本体が上部に口部を有すると共にその口部を閉じる天蓋を背面の上部に有し、天蓋に近接する位置に前記板状部材を設けると共に板状部材の上部を覆う補助用部材の一側をこの板状部材を介して背面に縫合し、同他側を天蓋に縫合する場合（請求項４）、閉蓋状態における板状部材は上部が補助用部材によって押さえ付けられるのを可能にしている。そのため、板状部材は縫合部より下方が裾広がりに傾斜する。したがって、板状部材と収納ケースの背面との間には隙間が形成されるので、板状部材はランドセルの収納部に挿入し易くなり、また、係合し易くなる。
【００２０】
前記ケース本体が上部に口部を有し、その口部を閉口するスライドファスナーを設けている場合（請求項５）、板状部材はランドセル収納部内において左右の移動が抑制されている。したがって、収納ケースはランドセルの収納部に係合したままでもスライドファスナーを軽快に開閉操作することができる。
【００２１】
前記板状部材が可撓性を有する場合（請求項６）、板状部材は横方向に湾曲させることが可能になっている。したがって、板状部材はランドセルの収納部へ挿入し易いように適当に湾曲させることができるので、ランドセル収納部に確実に、また、迅速に挿入させることができる。
【００２２】
前記ケース本体が柔軟性を有する場合（請求項７）、ケース本体は両側を折り畳んで幅狭にすることができる。したがって、幅狭の物を収納ケースに収納するときは収納ケースを幅狭にして閉蓋状態の蓋からはみ出ないようにすることができる。
【００２３】
前記板状部材がケース本体の背面に上下反転可能に止着されると共に、板状部材が提げ
手用の孔を備えている場合（請求項８）、板状部材は上下逆転させることにより、収納ケースを手提げかばんとして使用することもできる。
【００２４】
前記板状部材が可撓性を有し、前記ケース本体の背面に前記板状部材をケース本体に収容するための収納口を設けている場合（請求項９）、板状部材は少なくとも下部をケース本体に収容することが可能になっている。そのためケース本体の背面は煩雑にならない。したがって収納ケース本体は抱えバッグとして使用することもできる。
【００２５】
前記ケース本体に提げ手を設けている場合（請求項１０）、手提げバッグとして使用することもできる。
【００２６】
ランドセルが、収納部の最前面に請求項１、２、３、４、５、６、７、８，９または１０記載の収納ケースを装着している場合（請求項１１）、その収納ケース付きランドセルは前記各請求項に係る作用効果を奏成している。
【図面の簡単な説明】
【００２７】
【図１】図１は本考案の収納ケースの実施形態を示す背面斜視図である。
【図２】図２は図１の一部省略の正面斜視図である。
【図３】図３は本考案の収納ケース付きランドセルの実施形態の使用状態を表す正面斜視図である。
【図４】図４は図１の収納ケースの閉蓋状態の断面図である。
【図５】図５は装着方法の説明図である。
【図６】図６は図３のＡ−Ａ線断面図である。
【図７】図７は板状部材のその他の使用方法の説明図である。
【図８】図８は図３の収納ケース付きランドセルの閉蓋状態の正面斜視図である。
【図９】図９はその他の実施形態を示す収納ケースの背面図である。
【図１０】図１０はその他の実施形態を示す収納ケースの背面図である。
【図１１】図１１はその他の実施形態を示す収納ケースの背面斜視図である。
【考案を実施するための形態】
【００２８】
図１に示す本考案の収納ケース１は、上部に口部２を形成すべく前面３と後面４を凹状に縫合してなる扁平な袋状の収容部５と、この収容部の後面４の上部に一体形成されている天蓋６とからなるケース本体７と、後面４の外側の上部中央に設けられているランドセルの副収納部（図３の符号１００）に係合するための板状部材８とからなっている。
【００２９】
ケース本体７は、図１に示すように折り畳み可能な柔軟な合成樹脂製の生地によって形成されている。しかし、防水性を有する折り畳み可能な織物生地でもよい。また、ビニルコーティングがされた織物生地であってもよい。収容部５はＡ４サイズのいわゆるフラットファイルが収納可能な横長の略矩形に形成されている。
【００３０】
天蓋６は、図１に示すように上記後面４を上部に延ばして形成されたベース部９と、このベース部の外側全面および後面の上部に重ね合わせて周囲を縫合している補助用部材１０とからなっている。この補助用部材１０と後面４の間には前記板状部材８の上部が挿入されており板状部材８も同時に縫合１１されている。天蓋６は、図１の二点鎖線および図３に示すように板状部材８の上端より上方の適当な部位を収容部５の前面３側に折り畳んで閉蓋する。図２に示すように天蓋６の内側と収容部５の前面側にはそれぞれ雌雄の面ファスナー１２ａ、１２ｂが設けられているので、閉蓋状態の天蓋６は前面３に固定することができる。
なお、補助用部材は帯状のものであってもよい。帯状の場合、長手方向の一側は、板状部材の上部に被覆して板状部材と共に後面４に縫合し、同他側は天蓋６に縫合する。
【００３１】
板状部材８は、可撓性の合成樹脂製シートを略矩形に形成してなっている。周縁は、図１に示すように表裏面を織物生地で包むように縁取り１３がされているので、摩擦抵抗による滑り止め効果を有している。幅は、図３に示すようにランドセルＲの副収納部１００の内幅よりも若干、幅狭になっている。つまり、副収納部１００に収納された状態において横方向に大きくがたつくのが防止可能な幅になっている。しかし、狭くてもよい。また、高さは、板状部材８が副収納部１００の前面１０１に係合した時、同板状部材の下部が副収納部１００の後面１０２の高さの中間辺りに当接すべく収納ケースの収容部５の高さの半分くらいになっている（図１参照）。しかし、多少高くても、また、低くてもよい。要はランドセルの副収納部１００の前面に係合し、かつ、副収納部より抜け出ない高さになっているものであればよい。
【００３２】
板状部材８の縫合部１１より上部８ａは、図１に示すように補助用部材１０に覆われた状態で後面４の上部に縫合１１されているが、縫合部１１より下部は解放されている。図１の実線で示すように、開蓋時の板状部材８の上部８ａは補助用部材１０による引き上げはないので、後面４にほぼ沿っているが、図４に示すように閉蓋時の板状部材８の上部８ａは補助用部材１０によって引き上げられるので、縫合部１１より下部は後方に持ち上げられて傾斜する。そのため、板状部材８は後面４との間に断面が略Ｖ字状の隙間１４（図１参照）を形成する。板状部材８は張り性があるので、この傾斜状態は保持される。したがって、板状部材８はフック作用をするので、副収納部１００への挿入が容易になる。また、副収納部の前面１０１への係合も容易になる（図３参照）。
【００３３】
板状部材８の傾斜角度は、図４に示すように天蓋６の折り畳み位置が板状部材８の上部８ａに接近するほど、補助用部材１０は板状部材８上部を引き上げる力が大きく働くので、大きくなる。このように板状部材８は天蓋６の折り畳み位置によって傾斜角度が自由に調整可能となっている。したがって、板状部材８はランドセルの副収納部の奥ゆきの深浅に関わらず最適な当接状態を得ることができる。なお、副収納部に板状部材が挿入された後、板状部材８が後面に当接していなかったり、また、当接が弱かったりする場合、板状部材８が副収納部に収容されたままでも天蓋の折り畳み位置を修正することができる。
【００３４】
また、図５に示すように板状部材８と後面４との間Ｗ１が副収納部１００の奥ゆきＤよりも大きい場合、板状部材８は前後方向に弾力性を有しているので、想像線で示すように副収納部１００の後面１０２に当接することができる。また、副収納部の前面１０１に係合することができる。前述のとおり板状部材８は周縁に滑り止め作用を有しているので、副収納部の後面１０２に安定状態で当接する。
【００３５】
以上のとおり、この実施形態の収納ケース１の背面にはフック作用が可能な板状部材８を設けているので、収納ケース１の両側を支持したまま板状部材８を副収納部１００に挿入（図３の矢印参照）し、また、前面１０１に係合することができる。また、同じように収納ケース１を持ち上げて（図３の矢印参照）板状部材８を副収納部１００から取り外すことができる。収納ケースは大型物、また、それ相当の重量物が収容可能になっているので、上記のように収納ケース１を持った状態で副収納部１００に係合させることができるのは非常に便利である。また、副収納部への係合を容易に、かつ確実に行うことができる。
【００３６】
また、板状部材８は可撓性を有しているので、図７に示すように両側を指先などで湾曲して後面４との間に略Ｕ字状の隙間Ｗ２を形成することができる。板状部材８は略Ｕ字状を保持するために両側を指先で支持しているので、支持したままランドセルの副収納部へ挿入することもできる。したがって板状部材はより確実に、かつ、迅速に副収納部へ挿入することができる。挿入後の板状部材８は、図６に示すように収納ケース１の背面との間
に略Ｖ状の隙間を形成すると共に副収納部の後面１０２に先部が当接し、また、付け根部は副収納部の前面１０１に係合する。
【００３７】
ランドセルの開蓋時における収納ケース１は、図６に示すようにほぼ垂直状態になり、また、口部２は主収納部１０３や副収納部１００と同じく上向きになっているので、収納ケース１への収納物の出し入れはランドセルＲの主収納部１０３および副収納部１００への物の出し入れと一連的に行うことができる。また、収納ケース１が前方に傾きかけても、板状部材８が副収納部１００の後面１０４に当接しているので、抜け出るのが防止される。また、収納ケース１は副収納部１００の高さとほぼ同じ高さになっているので、図８に示すようにランドセルの蓋１０４は収納ケース１が邪魔して変形させられることはなく、一般ランドセルの閉蓋状態と同様に美しい湾曲フォルムを形成することができる。
【００３８】
また、ランドセルの閉蓋時における収納ケース１は、図８に示すように蓋１０４によっても揺動が防止されるので、さらに安定感がある。また、蓋１０４の両側から突出しているが、板状部材８が副収納部１００の内側に当たるので（図３参照）、横方向に引っ張り出すことはできない。したがって、湾曲困難な大型物が収納された収納ケースを安心してランドセルに携行させることができる。
【００３９】
図９に示す収納ケース１には、縫合部１１より下方の後面４に板状部材８を収容部５に収容するための収納口１５が設けられている。収納口はスリット状に形成されている。板状部材８は内向きに湾曲したその先部を収納口１５に挿入させることで収容部５に収容することができる。したがって、収容部５に収容された板状部材８は先部が不外出になるので、物を引っ掛けることが防止される。また、収納ケース１は見栄えがよくなる。このような収納ケースは、抱えケースとしても使用することができる。
さらに、前記収納口１５に通じる内袋１６を収容部５に設けてもよい。板状部材８は内袋１６に収容することにより、収容部５に収容される他の収納物の邪魔にならない。また、収容部５の前面側と後面側に一対の提げ手１７をそれぞれ設けてもよい。
【００４０】
また、図１０に示すように、板状部材８を上下反転自在とすると共に、板状部材８の中央に手が挿入可能な適当大の孔１８を穿設してもよい。板状部材８は提げ手に兼用することができる。この場合、収納ケース１はランドセルのサイド鞄として使用することもできる。
【００４１】
図１１に示す収納ケース２０は、図１の天蓋付き収納ケース２０の天蓋６が無いものであって、口部２１は、この口部２１に設けられたファスナー２２によって開閉自在としている。ファスナー２２にはスライダー２３が２個、設けられていて、スライダー２３、２３同士を当接させることにより口部２１は閉じ、また、引き離すことにより口部２１は開く。また、スライダー２３、２３は口部２１の中央で当接させることにより、ランドセルの閉蓋時における蓋が被覆するのを可能にしている。また、スライダー２３、２３は不外見および不外出になるのを可能にしている。そのため、ランドセル閉蓋時における収納ケースはスライダーを操作することが不可能となっている。したがってランドセルの閉蓋時、収納ケースの口部は蓋の両側から外出するが、開口させるのは防止されているので、収納ケースが装着されたランドセルは安心して携行することができる。
【００４２】
また、板状部材２４は上辺２４ａを口部２１に近接すべく収納ケース２０の背面に縫合２５して設けているので、口部２１に張り性をもたらせることができる。したがって、収納ケース２０の生地が柔軟であっても、スライダー２３を軽快に走行させることができる。また、収納ケース２０をランドセルの副収納部に係合している場合、板状部材２４は左右方向の移動が抑制されるので、スライダー２３を強く引いても収納ケース２０の生地が寄り集まったりすることはなく、軽快に開閉することができる。
【符号の説明】
【００４３】
１  収納ケース
２  口部
３  前面
４  後面
５  収容部
６  天蓋
７  収納ケース本体
８  板状部材
９  ベース部
１０  補助用部材
１１  縫合
１２ａ  雌面ファスナー
１２ｂ  雄面ファスナー
１３  縁取り
１４  隙間
１５  収納口
１６  内袋
１７  提げ手
１８  孔
２０  収納ケース
２１  口部
２２  ファスナー
２３  スライダー
２４  板状部材
２４ａ  上辺
２５  縫合
１００  副収納部
１０１  副収納部の前面
１０２  副収納部の後面
１０３  主収納部
１０４  蓋
Ｗ１  隙間
Ｗ２  隙間
Ｄ  奥ゆき
Ｒ  ランドセル
【図１】
0003188466.tif 000003
【図２】
0003188466.tif 000004
【図３】
0003188466.tif 000005
【図４】
0003188466.tif 000006
【図５】
0003188466.tif 000007
【図６】
0003188466.tif 000008
【図７】
0003188466.tif 000009
【図８】
0003188466.tif 000010
【図９】
0003188466.tif 000011
【図１０】
0003188466.tif 000012
【図１１】
0003188466.tif 000013